【手続補正書】
【提出日】平成21年7月10日(2009.7.10)
【手続補正１】
【補正対象書類名】明細書
【補正対象項目名】全文
【補正方法】変更
【補正の内容】
【発明の詳細な説明】
【発明の名称】撮像装置及び開閉装置
【技術分野】
【０００１】
本発明は、撮像装置及び開閉装置に関する。
【背景技術】
【０００２】
ビデオカメラ等の撮像装置のレンズを保護する等の目的で、開閉式の羽根を設ける技術が知られている。例えば、特許文献１のビデオカメラは、レンズを被覆する位置と、レンズ上から退避した位置との間を直線的にスライド移動する一枚の羽根を含むレンズバリアを有している。特許文献２のビデオカメラは、筐体などに軸支された主動羽根と、主動羽根に軸支された従動羽根とを含むレンズバリアを有している。主動羽根及び従動羽根は、広がってレンズを被覆する。そして、主動羽根がレンズ上から回転移動により退避すると、従動羽根は主動羽根に対して回転して重なり、主動羽根とともにレンズ外へ収納される。
【特許文献１】特開２００５−７７５７４号公報
【特許文献２】特開２００５−３０８８９８号公報
【発明の開示】
【発明が解決しようとする課題】
【０００３】
特許文献１の技術では、一枚の羽根をスライド移動させることから、羽根の大きさと同等の大きさの羽根の収納場所が必要である。その結果、例えば、羽根を収納するための場所をレンズ鏡筒に隣接してレンズ鏡筒と同等の大きさで確保する必要があり、レンズ鏡筒と隣接する筐体部分をレンズ鏡筒よりも小型化するデザインを実現することができないなど、小型化、軽量化、意匠性に制限が生じる。
【０００４】
特許文献２の技術は、主動羽根が回転可能に軸支される構成であることから、スライド移動する羽根を設ける場合に比較して小型化や自由な設計が困難になる。例えば、レンズの配置場所及び主動羽根の収納場所の他に、主動羽根の軸支点を設ける場所を設けなければならず、且つ、当該場所は、主動羽根の移動方向（円周方向）に直交する位置に確保されなければならない。
【０００５】
本発明の目的は、羽根の収納根所を小さくできる撮像装置及び開閉装置を提供することにある。
【課題を解決するための手段】
【０００６】
本発明の撮像装置は、レンズと、前記レンズの前面を覆う被覆位置と前記レンズの前面から退避した退避位置との間でスライド移動可能な第１の羽根と、前記第１の羽根に軸支されており、前記第１の羽根のスライド移動に伴って、前記第１の羽根と共に前記被覆位置と前記退避位置との間で移動するとともに前記退避位置において前記被覆位置におけるよりも前記第１の羽根に重なるように前記第１の羽根に対して回転する第２の羽根と、を有する。
【０００７】
好適には、前記第１及び第２の羽根を広げる方向に付勢する付勢部材と、前記第１及び第２の羽根が前記被覆位置から前記退避位置へ移動したときに、前記第２の羽根が前記付勢部材の付勢力に抗して前記第１の羽根に重なる方向へ回転するように前記第２の羽根に当接する当接部と、を有する。
【０００８】
好適には、前記第１の羽根は、前記被覆位置と前記退避位置との間を直線的に且つ非回転でスライド移動する。
【０００９】
好適には、前記レンズ並びに前記第１及び第２の羽根を収容する筐体を有し、前記筐体は、前記レンズの前面側から見て、前記レンズを収容する第１構成部と、前記第１構成部に隣接する第２構成部と、を有し、前記第２構成部は、前記第１構成部よりも、前記第１及び第２構成部の並び方向に直交する方向の幅が狭く形成されるとともに、前記レンズに対して前記直交する方向の一方側へ偏っており、前記第１及び第２の羽根は、前記被覆位置において、前記第１の羽根が前記直交する方向の前記一方側に、前記第２の羽根が前記直交する方向の他方側に位置し、前記被覆位置から前記退避位置への移動では、前記第１構成部側から前記第２構成部側へ、前記直交する方向の幅を前記第２の羽根の回転により前記一方側へ狭くしつつ移動する。
【００１０】
好適には、前記第２構成部の前記他方側の面に重ねられる閉状態と、前記第２構成部から離間する開状態との間で遷移可能に前記筐体に連結される他の筐体を有し、前記筐体及び前記他の筐体は、前記閉状態において、前記一方側では、前記第１及び第２構成部により前記並び方向に平行な一平面が形成され、前記他方側では、前記第１構成部及び他の筐体により前記並び方向に平行な一平面が形成されるように構成されている。
【００１１】
好適には、前記第１の羽根は、前記レンズの前面側から見て、前記レンズの前面を覆う部分が、前記第２構成部側ほど前記直交する方向の幅が前記一方側へ狭くなるように形成され、前記退避位置では、幅が広い側の一部が前記第１構成部に、幅が狭い側の一部が前記第２構成部に収容され、前記第２の羽根は、前記レンズの前面側から見て、前記レンズの前面を覆う部分が、前記第１構成部側ほど前記直交する方向の幅が前記他方側へ狭くなるように形成され、前記被覆位置から前記退避位置への移動では、前記第２構成部側を回転中心として前記一方側へ回転する。
【００１２】
好適には、駆動源と、前記駆動源の動力により駆動される被駆動部材と、前記被駆動部材と前記第１の羽根とを連結する弾性部材と、を有する。
【００１３】
好適には、駆動源と、前記駆動源の動力を前記第１の羽根に伝達する、互いに噛合可能な第１歯車及び第２歯車と、有し、前記第１及び第２歯車の一方には、前記第１の羽根が前記被覆位置及び前記退避位置の少なくとも一方に位置したときに前記第１及び第２の歯車の噛合が解除されるように欠歯部が設けられ、前記第１及び第２歯車のうち前記動力源側の歯車は、半径方向外側へ突出し、円周方向において前記欠歯部の配置範囲に亘って延びるカム部を有し、前記第１及び第２歯車のうち前記第１の羽根側の歯車は、当該歯車の回転を規制するように、前記カム部の円周方向に沿う面に対して円周方向へ摺動可能に係止される係止部を有する。
【００１４】
本発明の開閉装置は、閉位置と開位置との間でスライド移動可能な第１の羽根と、前記第１の羽根に軸支されており、前記第１の羽根のスライド移動に伴って、前記第１の羽根と共に前記閉位置と前記開位置との間で移動するとともに前記開位置において前記閉位置におけるよりも前記第１の羽根に重なるように前記第１の羽根に対して回転する第２の羽根と、を有する。
【発明の効果】
【００１５】
本発明によれば、羽根の収納場所を小さくできる。
【発明を実施するための最良の形態】
【００１６】
図１〜図３は、本発明の実施形態に係る電子機器又は撮像装置としてのビデオカメラ１の外観を示す斜視図である。具体的には、図１（ａ）は、ビデオカメラ１を使用状態において正面側（被写体側）から見た斜視図、図１（ｂ）は、ビデオカメラ１を使用状態において背面側（基本的な使用態様の撮影者側）から見た斜視図、図２（ａ）は、ビデオカメラ１を過渡状態（使用状態と後述する収納状態との間の状態）において背面側から見た斜視図、図２（ｂ）は、ビデオカメラ１を収納状態において背面側から見た斜視図、図３は、ビデオカメラ１を収納状態且つバッテリ蓋を開けた状態において背面側からみた斜視図である。
【００１７】
ビデオカメラ１は、例えば、図１〜図３の紙面上方側を実際の上方側として、撮影者が右手で把持して使用することを基本的な使用態様として想定して構成されている。なお、以下では、図１〜図３の紙面上方、紙面下方、被写体側、被写体側とは反対側をそれぞれビデオカメラ１等の上方、下方、前方（前面側、正面側）、後方（背面側）ということがある。また、図１〜図３の紙面上下方向、正面側から背面側への方向（又はその逆の方向）、被写体側から見て左右方向をそれぞれビデオカメラ１等の上下方向、前後方向、左右方向ということがある。
【００１８】
ビデオカメラ１は、撮影等の処理を行うとともに基本的な使用態様において撮影者に把持される本体部３と、本体部３に対して移動可能に連結され、撮影中の画像や過去に記録された画像等の画像を表示する表示部５と、本体部３と表示部５とを連結する連結部７とを有している。本体部３は、被写体からの光の取り込み等を行うためのレンズ部９と、回路基板やバッテリが収納されるとともに基本的な使用態様において撮影者に把持される把持部１１とを有している。把持部１１は、概ね撮影者の掌に納まる大きさである。
【００１９】
図２（ｂ）に示すように、ビデオカメラ１の非使用時には、ビデオカメラ１は、表示部５が本体部３に対して重ねられることにより折り畳まれている。そして、ビデオカメラ１を使用するときには、まず、図２（ａ）に示すように、表示部５が第１回転軸ＲＡ１回りの回転により本体部３に対して倒立され、次に、図１（ｂ）に示すように、表示部５が第２回転軸ＲＡ２回りに回転される。表示部５は、例えば、第２回転軸ＲＡ２回りに、図２（ａ）に示す位置から図１（ｂ）に示す位置を経由して画面５ａが前方に向く位置までの２７０°の角度範囲で回転可能である。
【００２０】
ビデオカメラ１は、例えば、表示部５が図２（ｂ）に示す状態と図２（ａ）に示す状態との間で遷移したことを検出するセンサ１１５（図２９参照）を有しており、そのセンサの検出結果に基づいて、図２（ａ）の状態から図２（ｂ）の状態に遷移すると電源をオフとし、図２（ｂ）の状態から図２（ａ）の状態に遷移すると電源をオンする。
【００２１】
基本的な使用態様では、撮影者は、図１に示すように、表示部５の画面５ａを本体部３の背面側に向ける。そして、本体部３の前方側を被写体に、本体部３の背面側を自分に向け、把持部１１を右手により把持し、画面５ａに映し出される画像を確認しながら、記録の開始や停止の操作を行う。このとき、画面５ａの傾斜角（第２回転軸ＲＡ２回りの回転角度）は好みに応じて調整される。また、いわゆる自分撮りといわれる、撮影者が被写体となる使用態様では、撮影者は、画面５ａを本体部３の前方に向ける。そして、本体部３の前方側を自分に向け、ビデオカメラ１の適宜な部位を把持し、画面５ａに映し出される画像を確認しながら、記録の開始や停止の操作を行う。
【００２２】
ビデオカメラ１は、画像の再生のみに使用することも可能である。また、ビデオカメラ１は、画面５ａを上方に向けた状態（図２（ａ）の状態から表示部５を第２回転軸ＲＡ２回りに１８０°回転させた状態）とし、その後、第１回転軸ＲＡ１回りに表示部５を本体部３へ重ねる方向へ回転させ、画面５ａを外側へ露出した状態で折り畳むことも可能である。
【００２３】
以下では、表示部５が本体部３に重ねられている状態（例えば図２（ｂ）の状態）を閉状態といい、表示部５が本体部３に対して倒立している状態（例えば図１及び図２（ａ）の状態）を開状態という。また、図２（ａ）に示すように、閉状態から表示部５が倒立しただけであり、表示部５が第２回転軸ＲＡ２回りに回転していない状態を開状態且つ非回転状態といい、表示部５が図２（ａ）の状態から第２回転軸ＲＡ２回りに回転した状態（例えば図１の状態）を開状態且つ回転状態という。閉状態のうち、図２（ｂ）に示すように、画面５ａが把持部１１に対向する状態を収納状態という。
【００２４】
ビデオカメラ１は、図２（ｂ）に示すように、閉状態において、全体の外形が、概ね、左右方向に薄い直方体状に形成されるように構成されている。具体的には以下のとおりである。
【００２５】
本体部３の外形（本体部３の本体筐体１３）は、概ね、薄型直方体に、表示部５及び連結部７を収容するための凹部が形成された形状となっている。すなわち、本体部３の外形は、概ね、ビデオカメラ１の前後方向に直交する断面が前後方向に亘って一様になるように形成されるとともに、前方から見て、レンズ部９が表示部５側に突出することにより、Ｐ字状に形成されている。
【００２６】
連結部７の外形（連結筐体１７）は、概ね、ビデオカメラ１の前後方向（第１回転軸ＲＡ１の軸方向）に延びる柱状（筒状）に形成されている。連結部７は、例えば、前後方向に直交する断面がＤ字状に形成され、第２回転軸ＲＡ２に直交して表示部５に対向する平面部７ａを有している。連結部７は、本体部３のレンズ部９と把持部１１との境界付近に位置し、本体部３の凹部の端部に収納されるように配置されている。連結部７の前後方向の長さは、表示部５の前後方向の長さと同等である。
【００２７】
表示部５の外形（表示筐体１５）は、概ね、薄型直方体状に形成されている。表示部５は、連結部７の平面部７ａに対して端面が対向するようにして連結部７に連結されている。表示部５の収納状態（図２（ｂ））における前後方向の長さは概ね本体部３の前後方向の長さと同等であり、上下方向の長さは、本体部３の凹部の上下方向の長さから連結部７の上下方向の幅を差し引いた長さと同等である。
【００２８】
そして、表示部５及び連結部７全体は、概ね本体部３の把持部１１に形成された凹部と同等の大きさであり、これらが当該凹部に収容されることにより、ビデオカメラ１は、収納状態において概ね薄型直方体状となる。換言すれば、前方から見て、レンズ部９と把持部１１とにより、レンズ部９及び把持部１１の並び方向（上下方向）に沿う一平面が形成されるとともに、レンズ部９と表示部５とにより、上下方向に沿う一平面が形成される。なお、ビデオカメラ１は、厳密には、上下方向の端面等が曲面状に形成され、丸みを帯びた形状となっている。すなわち、レンズ部９は前方から見て上方及び下方側が弧状に形成されており、また、把持部１１は前方から見て下方側が弧状に形成されている。
【００２９】
ビデオカメラ１の筐体は、本体筐体１３、表示筐体１５及び連結筐体１７により構成されており、適宜に開口が形成され、種々の操作部材等が露出している。具体的には、以下に例示するとおりである。
【００３０】
図１（ａ）に示すように、レンズ部９の前方側の端面には、被写体を撮像するためのレンズ４１が露出する開口９ａが形成されている。なお、レンズ４１及び開口９ａは、例えば、レンズ部９の左右方向及び上下方向の概ね中央に配置されている。従って、表示部５を収納する凹部を構成し、レンズ部９よりも左右方向の幅が小さい把持部１１は、レンズ４１に対して表示部５とは反対側へ偏って設けられていることになる。
【００３１】
また、図１（ｂ）に示すように、レンズ部９の後方側の端面には、動画の録画の開始及び停止を指定するために押下される録画ボタン１９と、ズームイン及びズームアウトを指定するために周方向にスライドされる円環状のズームレバー２１と、撮影モードの切り換えを指定するために周方向にスライドされる円環状の切換レバー２３とが設けられている。連結部７の後方側の端面には、静止画の撮影を行うために押下されるレリーズボタン２５が設けられている。撮影者は、例えば、右手で把持部１１を把持しつつ、親指で録画ボタン１９、ズームレバー２１、切換レバー２３、レリーズボタン２５を操作して動画又は静止画の撮影を行うことができる。
【００３２】
図１（ｂ）に示すように、連結部７の平面部７ａには、レリーズボタン２５側に、レリーズボタン２５に関する情報（例えば機能）を示す文字又は図形等の模様により形成された指標（本実施形態では文字「ＰＨＯＴＯ」を例示）が設けられている。文字「ＰＨＯＴＯ」は、例えば、シールが張られたり、塗装がなされたり、若しくは、平面部７ａに凹凸が形成されることにより設けられている。図２（ａ）及び図２（ｂ）に示されるように、閉状態から、開状態且つ非回転状態までの状態では、文字「ＰＨＯＴＯ」は、表示部５に被覆されて視認できない。そして、図１（ｂ）に示すように、表示部５が第２回転軸ＲＡ２回りに回転されて開状態且つ回転状態となると、文字「ＰＨＯＴＯ」は露出されて視認可能となる。
【００３３】
撮影者がレリーズボタン２５を操作しようとするのは、通常、開状態且つ回転状態であるから、文字「ＰＨＯＴＯ」は、そのようなレリーズボタン２５の一般的な使用状態においては視認され、それ以外の場合には視認されないことになる。また、上述のように、ビデオカメラ１は、図２（ｂ）の状態では電源がオフされるから、レリーズボタン２５に対する操作が無効であるときには、文字「ＰＨＯＴＯ」は視認されないことになる。なお、ビデオカメラ１は、開状態且つ回転状態、若しくは、開状態且つ回転状態のうち文字「ＰＨＯＴＯ」が露出する角度範囲に表示部５が位置する状態でのみ、レリーズボタン２５に対する操作に応じて静止画を撮影し、それ以外の状態ではレリーズボタン２５に対する操作を無視するように構成されてもよい。
【００３４】
上記に述べた操作部材の他、ビデオカメラ１は、例えば、把持部１１の表示部５が重ねられる面に各種の押しボタンが配置されている。当該面には、不図示のスピーカの放音口、ビデオカメラ１をリセットするときにピンなどが挿入される孔部なども形成されている。レンズ部９の上面には、不図示のマイクロフォンの収音口が開口している。
【００３５】
図３に示すように、本体部３の本体筐体１３は、本体筐体１３の大部分を構成する本体筐体主部２７と、本体筐体主部２７に対して開閉可能に連結される蓋体２９とを有している。蓋体２９が開かれると、バッテリ３１を着脱するためのバッテリ収納部やメモリカード１３５（図２９参照）を挿入するスロット１３３が露出される。
【００３６】
蓋体２９は、例えば、把持部１１の後方側の端面の大部分に亘って設けられている。蓋体２９は、例えば、ヒンジ部材３３を介して本体筐体主部２７に連結されている。ヒンジ部材３３は、本体筐体主部２７に対して上下方向に延びる回転軸回りに回転可能に連結されるとともに、蓋体２９に対して蓋体２９に沿う水平方向にスライド移動可能に連結されている。
【００３７】
蓋体２９は、開かれるときは、ヒンジ部材３３に対して図３の紙面右側にスライドされることによりロックが解除された後、ヒンジ部材３３とともに本体筐体主部２７に対して回転される。閉じられるときは、逆に、ヒンジ部材３３とともに本体筐体主部２７に対して回転し、その後、ヒンジ部材３３に対してスライド移動されてロックされる。
【００３８】
バッテリ３１は、例えば、概ね直方体状に構成されており、本体筐体主部２７に挿脱される。バッテリ３１は、例えば、左右方向及び前後方向においては、把持部１１と同等の大きさを有しており、上下方向においては、把持部１１の半分程度の大きさを有して把持部１１の下方側に配置されている。
【００３９】
図４及び図５は、ビデオカメラ１の開閉及び回転機構を説明する図である。具体的には、図４は、図２（ｂ）に示す収納状態において連結部７及び表示部５の一部を分解して示す筐体外側（図２（ｂ）の紙面左側）から見た斜視図であり、図５は、図４の状態から連結部７及び表示部５を組み立てた状態において連結部７及び表示部５の一部を図４の紙面裏側から見た斜視図である。
【００４０】
連結部７は、連結筐体１７（図４及び図５では、連結筐体１７の一部である連結筐体主部１７ａのみ示す。）等に収容されるヒンジ機構３５を有している。ヒンジ機構３５は、例えば、本体部３に固定される２つの第１ヒンジ部材３５ａ、第１ヒンジ部材３５ａに対して第１回転軸ＲＡ１回りに回転可能に連結される第２ヒンジ部材３５ｂ、第２ヒンジ部材３５ｂに対して第２回転軸ＲＡ２回りに回転可能に連結される第３ヒンジ部材３５ｃ、第３ヒンジ部材３５ｃに固定されるとともに表示部５に固定される第４ヒンジ部材３５ｄ（図４）を有している。
【００４１】
第１ヒンジ部材３５ａは、例えば、ビデオカメラ１の上下方向（図４の紙面左上から紙面右下の方向）に見て、断面Ｌ字状に形成されており、本体部３の本体筐体１３内に収納されて本体部３に固定される固定部３５ｅと、本体筐体１３から突出する突出部３５ｆとを有している。固定部３５ｅは、例えば、本体筐体１３の表示部５が重ねられる面に沿う板状に形成されており、本体筐体１３、又は、本体筐体１３に固定された他の部材にネジなどの固定部材により固定される。突出部３５ｆは、例えば、第１回転軸ＲＡ１に直交する板状に形成されている。
【００４２】
第２ヒンジ部材３５ｂは、例えば、第１回転軸ＲＡ１の軸方向に延びる長尺状の部材により構成されている。第２ヒンジ部材３５ｂは、第１ヒンジ部材３５ａのうち、突出部３５ｆの本体部３から突出している部分に対して軸支されている。これにより、第１回転軸ＲＡ１は本体部３の外部に位置することになる。
【００４３】
第２ヒンジ部材３５ｂ、並びに、第１ヒンジ部材３５ａ及び第３ヒンジ部材３５ｃの一部は、連結筐体１７に収容される。第１回転軸ＲＡ１が本体部３の外部に位置していることから、連結筐体１７は、第２ヒンジ部材３５ｂ等を、第１回転軸ＲＡ１の軸周りだけでなく、軸方向においても覆うことができる。すなわち、連結筐体１７は、第１回転軸ＲＡ１が貫通する端面を有したり、当該端面から露出するレリーズボタン２５及びレリーズボタン２５により押下される不図示のスイッチが配置されたり、本体部３の左右方向に亘る長さに形成されたりすることができる。
【００４４】
第３ヒンジ部材３５ｃは、例えば、第２回転軸ＲＡ２の軸方向に延びる長尺状に形成され、連結筐体１７から突出するとともに、表示筐体１５（図４では、表示筐体１５を構成するフロントケース１５ａ及びリアケース１５ｂのうちフロントケース１５ａのみを示す。）に挿入される。すなわち、第３ヒンジ部材３５ｃは、表示筐体１５の外部の第１回転軸ＲＡ１から表示筐体１５内部へ延びており、第１回転軸ＲＡ１を表示筐体１５の外部に位置させることを可能としている。
【００４５】
第４ヒンジ部材３５ｄは、例えば、表示筐体１５の、連結部７の平面部７ａに対向する面に沿う板状に形成されており、表示筐体１５に収容されるとともに、表示筐体１５、又は、表示筐体１５に固定された他の部材にネジなどの固定部材により固定される。
【００４６】
なお、第３ヒンジ部材３５ｃ及び第４ヒンジ部材３５ｄは一体的に構成されてもよい。また、第３ヒンジ部材３５ｃは、第２ヒンジ部材３５ｂに対して第２回転軸ＲＡ２回りに回転不可能とされるとともに第４ヒンジ部材３５ｄ（表示筐体１５）に対して第２回転軸ＲＡ２回りに回転可能に構成されてもよい。
【００４７】
図６は、ビデオカメラ１における開閉及び回転動作における筐体間の当接について説明する図であり、図６（ａ）はビデオカメラ１の正面図、図６（ｂ）は図６（ａ）の一部拡大図である。
【００４８】
連結部７は、表示部５（第２回転軸ＲＡ２）が閉位置から９０°倒立した状態までしか開方向へ回転しないように設計されている。しかし、実際の製品では、公差などから生じるガタツキにより、表示部５は閉位置から９０°の位置よりも開方向へ若干移動する。そして、表示部５が、図６に示すように、レンズ部９の側面に当接する場合がある。この場合、表示部５が第２回転軸ＲＡ２回りに回転されると、レンズ部９の側面に傷が生じるおそれがある。そこで、ビデオカメラ１は、以下の構成を有している。
【００４９】
図７は、表示部５を連結部７に連結される側から見た斜視図である。
【００５０】
表示部５は、連結部７に対向する端面に保護部材３７を有している。保護部材３７は、本体筐体１３の、表示部５が当接する部分よりも硬度が低い材料により構成されている。例えば、本体筐体１３のうちレンズ部９における部分が金属により構成されているのに対し、保護部材３７は樹脂により構成されている。
【００５１】
保護部材３７の配置位置及び厚さ等は、表示部５が規定の角度（９０°）よりも開かれようとするときに、保護部材３７がレンズ部９と表示部５の連結部７に対向する端面との間のスペーサとして機能可能に（表示部５の端面が当接する前にレンズ部９に当接可能に）適宜に設定される。保護部材３７は、例えば、概ね表示部５の端面に沿って延び、当該端面と同等の大きさを有する長尺状に形成されている。保護部材３７は、例えば、ネジや接着剤等の固定部材により表示筐体１５に固定されたり、表示筐体１５のフロントケース１５ａ及びリアケース１５ｂに挟持されて表示筐体１５に固定される。
【００５２】
図８は、ビデオカメラ１における開閉及び回転動作における筐体間の当接について説明する他の図であり、図８（ａ）はビデオカメラ１の正面図、図８（ｂ）は表示部５側から見た斜視図である。
【００５３】
表示部５は、閉状態から開状態への過渡状態においても第２回転軸ＲＡ２回りに回転可能である。そして、過渡状態において表示部５が第２回転軸ＲＡ２回りに回転されると、表示部５が把持部１１の側面に当接し、当該側面に傷Ｓ（図８（ｂ））が生じるおそれがある。当該傷Ｓは、第２回転軸ＲＡ２を中心とする一筋の弧である。そこで、ビデオカメラ１は、以下の構成を有している。
【００５４】
図９（ａ）は、本体部３の一部分解斜視図である。本体部３の本体筐体１３は、例えば、把持部１１の表示部５が重ねられる面を構成する筐体構成部１３ａが金属により構成されている。そして、筐体構成部１３ａの表示部５が重ねられる面の一部（貼付エリア１３ｂ）には、装飾シート３９が接着剤等により固定される。なお、貼付エリア１３ｂは、例えば、把持部１１の表示部５が重ねられる面の大部分を占めており、また、傷Ｓに対して傷Ｓの半径方向内側及び外側に跨っている。
【００５５】
図９（ｂ）は、装飾シート３９の平面図である。装飾シート３９は、例えば、樹脂により構成されている。装飾シート３９には、金属のスピン目の模様が設けられている。スピン目の模様は、金属に弧状の傷（微小な溝）を付けたような模様である。スピン目の模様は、例えば、装飾シート３９に対する印刷により設けられており、装飾シート３９に実際に弧状の溝が形成されてスピン目の模様が設けられているわけではない。スピン目は、第２回転軸ＲＡ２を中心としている。換言すれば、スピン目は、傷Ｓと同心円状に設けられている。
【００５６】
従って、傷Ｓが形成されても、傷Ｓはスピン目に埋もれて目立たない。なお、把持部１１の表示部５が重ねられる面に設けられる各種の操作部材や開口は、傷Ｓが形成される位置（表示部５が当接する位置）と重複していない位置に設けられることが好ましい。
【００５７】
図１０は、ビデオカメラ１のレンズ部９の開口９ａ（図１（ａ））を開閉するレンズバリア装置４３を示すビデオカメラ１の正面側から見た斜視図である。図１１は、レンズバリア装置４３を分解して示すビデオカメラ１の背面側（内部側）から見た斜視図である。
【００５８】
レンズバリア装置４３は、ビデオカメラ１の非使用時等において、開口９ａを閉じてレンズ４１を保護するためのものである。レンズバリア装置４３は、図１１に示すように、開口９ａを開閉する主動羽根４５及び従動羽根４７と、主動羽根４５及び従動羽根４７を駆動するための歯車列４９及びモータ５１と、モータ５１の制御等を行うためのＦＰＣアセンブリ５３と、これらの部品を保持するためのフロントプレート５５、センターベース５７及びリアプレート５９とを有している。
【００５９】
図１２は、レンズバリア装置４３の主動羽根４５及び従動羽根４７周辺を分解してビデオカメラ１の正面側から見た斜視図である。
【００６０】
フロントプレート５５及びセンターベース５７は、互いに対向して配置され、その間に主動羽根４５及び従動羽根４７を収納するように固定されるものである。例えば、センターベース５７は、主動羽根４５及び従動羽根４７を収納可能な凹部が形成されるように、基部５７ａ及び基部５７ａからフロントプレート５５側へ突出する外周壁部５７ｂ等を有しており、フロントプレート５５は、概ね板状に形成されており、センターベース５７に被せられる。センターベース５７は例えば樹脂により、フロントプレート５５は例えば一枚の板金により構成され、センターベース５７に形成されたボスをフロントプレート５５に形成された孔部に挿入して位置決めし、ボスを溶融することなどにより、これらは互いに固定される。
【００６１】
フロントプレート５５及びセンターベース５７は、本体筐体１３の正面側部分の内側面に対して、レンズ部９及び把持部１１に跨って対向して配置されるものであり、正面側から見て、本体筐体１３の正面側部分の形状と類似した形状となっている。すなわち、フロントプレート５５及びセンターベース５７は、正面側から見て、概ねＰ字状に形成されており、レンズ４１を露出させるための開口５５ｈ及び５７ｈが形成されたレンズ側部５５ｃ及び５７ｃと、レンズ側部５５ｃ及び５７ｃの下方側に隣接し、レンズ側部５５ｃ及び５７ｃよりも左右方向の幅が小さい収容部５５ｄ及び５７ｄを有している。なお、開口５５ｈ及び５７ｈは、開口９ａと概ね同等の大きさ及び形状に形成されている。
【００６２】
主動羽根４５は、ビデオカメラ１の正面側から見て、開口９ａ（図１（ａ））の左上側の概ね半分を閉じるように構成されている。主動羽根４５は、例えば、開口９ａから露出してレンズ４１の被覆を行う羽根本体４５ａと、羽根本体４５ａの下方側に位置し、従動羽根４７と連結される羽根連結部４５ｂとを有している。羽根本体４５ａは、正面から見て、概ね直角三角形に形成されており、斜辺（縁部４５ｉ）が開口９ａを左上側と右下側とに概ね半分に分割するように配置されている。
【００６３】
従動羽根４７は、ビデオカメラ１の正面側から見て、開口９ａ（図１（ａ））の右下側の概ね半分を閉じるように構成されている。従動羽根４７は、例えば、開口９ａから露出してレンズ４１の被覆を行う羽根本体４７ａと、羽根本体４７ａの下方側に位置し、主動羽根４５と連結される延在部４７ｂ及び４７ｃとを有している。羽根本体４７ａは、正面から見て、概ね三角形（若しくは台形）に形成されており、斜辺（縁部４７ｉ）が開口９ａを左上側と右下側とに概ね半分に分割するように配置されている。
【００６４】
主動羽根４５は、上下方向に直線的且つ非回転でスライド移動するように構成されている。具体的には、例えば、センターベース５７には、基部５７ａからフロントプレート５５側に突出し、レンズ側部５７ｃから収納部５７ｄへ亘って上下方向に直線的に延びるレール５７ｅが形成されており、主動羽根４５には、センターベース５７側に突出し、レール５７ｅを左右方向に挟持する複数の突部４５ｅＡ〜４５ｅＤ（図１７及び図１８も参照。本実施形態では４個を例示。以下では、Ａ〜Ｄを省略することがある。）が上下方向の複数位置（本実施形態では３箇所を例示）に形成されており、複数の突部４５ｅがレール５７ｅに案内されることにより、主動羽根４５は、上下方向に直線的且つ非回転でスライド移動する。
【００６５】
従動羽根４７は、主動羽根４５に軸支されることにより、主動羽根４５の上下方向のスライド移動に伴って上下方向に移動するとともに主動羽根４５に対する重なりを変化させることができるように構成されている。具体的には、例えば、主動羽根４５の羽根連結部４５ｂには円形の孔部４５ｆが形成されており、従動羽根４７の延在部４７ｂには円柱状の突部４７ｆが形成されており、突部４７ｆが孔部４５ｆに回転可能に挿入されることにより（図１３参照）、従動羽根４７は主動羽根４５に軸支される。
【００６６】
レンズバリア装置４３は、主動羽根４５及び従動羽根４７を広げる方向（重なりを小さくする方向）に付勢する付勢部材としてのバネ６１を有している。バネ６１は、例えば、つる巻きバネにより構成されている。主動羽根４５の羽根連結部４５ｂ及び従動羽根４７の延在部４７ｃには、バネ６１が係止される突状のバネ係止部４５ｇ及び４７ｇが形成されている。
【００６７】
図１３は、主動羽根４５、従動羽根４７及びバネ６１を互いに係止してセンターベース５７に取り付けて（フロントプレート５５を取り外して）正面側から見た斜視図である。
【００６８】
正面側から見て、主動羽根４５の羽根本体４５ａは左側に、従動羽根４７の羽根本体４７ａは右側に位置しているのに対し、バネ係止部４５ｇ及び４７ｇは、これとは逆に、主動羽根４５のバネ係止部４５ｇが右側に、従動羽根４７のバネ係止部４７ｇが左側に位置している。また、バネ係止部４５ｇ及び４７ｇは、軸支点（突部４７ｆ）に対して羽根本体４５ａ及び４７ａ側に位置している。従って、バネ６１は、引張られた状態でバネ係止部４５ｇ及び４７ｇに取り付けられると、引張力により羽根本体４５ａ及び４７ａを開く方向（重なりが小さくなる方向）に主動羽根４５及び従動羽根４７を付勢する。
【００６９】
図１４は、主動羽根４５及び従動羽根４７の動作を説明する図であり、図１４（ａ）は、開口９ａ（図１（ａ））が閉じられてレンズ４１が被覆されている状態を、図１４（ｂ）は、開口９ａが開かれている（又は閉じられている）過程の状態を、図１４（ｃ）は、開口９ａが開かれてレンズ４１が露出された状態を示している。
【００７０】
図１４（ａ）に示すように、閉状態では、主動羽根４５の羽根本体４５ａ及び従動羽根４７の羽根本体４７ａはセンターベース５７のレンズ側部５７ｃに収容されている。羽根本体４５ａ及び４７ａは広がっており、羽根本体４５ａ及び４７ａ全体の幅は、開口５７ｈ（開口９ａ）や収納部５７ｄよりも大きい。なお、羽根本体４５ａ及び４７ａの縁部４５ｉ及び４７ｉは、４５°よりも急傾斜であり（４５°よりも鉛直に近く）、羽根本体４５ａ及び４７ａのそれぞれの左右方向の幅は、開口５７ｈの左右方向の径よりも小さい。
【００７１】
また、閉状態では、主動羽根４５及び従動羽根４７は、上端がセンターベース５７の外周壁部５７ｂの上方側部分に当接して上方側への移動が規制されている。主動羽根４５の左右方向の移動や回転は、センターベース５７のレール５７ｅに主動羽根４５の複数の突部４５ｅ（図１２）が係合することにより規制されている。従動羽根４７の左右方向の移動は、従動羽根４７がバネ６１により紙面右方向に付勢されるとともに、従動羽根４７の羽根本体４７ａの右側縁部が外周壁部５７ｂの側壁部５７ｂｂに当接することにより規制されている。
【００７２】
なお、側壁部５７ｂｂは、外周壁部５７ｂのうち、センターベース５７の紙面右側縁部に沿って上下方向に延びる部分であり、ビデオカメラ１の正面から見て、本体筐体１３がＰ字状に形成されていることに合わせて、下方側（収納部５７ｄ側）が上方側（レンズ側部５７ｃ側）よりも左側（主動羽根４５側）に位置するように、緩やかなＺ字状に延びている。
【００７３】
図１４（ｂ）に示すように、主動羽根４５は、直線的且つ非回転で下方側へスライド移動される。従動羽根４７は、主動羽根４５に軸支されているから、主動羽根４５の下方側への移動に伴って、下方側へ移動する。このとき、従動羽根４７の羽根本体４７ａは、センターベース５７の側壁部５７ｂｂに当接して主動羽根４５側への反力を受ける。羽根本体４７ａは、軸支点（突部４７ｆ）よりも上方側に位置しているから、従動羽根４７は左回りに回転して主動羽根４５に重なっていく。なお、このとき、バネ６１は、例えば、徐々に伸びていく。そして、図１４（ｃ）に示す閉状態となる。
【００７４】
図１４（ｃ）に示すように、従動羽根４７が主動羽根４５に重なることにより、主動羽根４５及び従動羽根４７は閉状態のときよりも小さく折り畳まれている。これにより、主動羽根４５の羽根本体４５ａ及び従動羽根４７の羽根本体４７ａ全体としての左右方向の幅は、閉状態よりも小さくなり、レンズ側部５７ｃよりも左右方向の幅が小さい収納部５７ｄに収容される。
【００７５】
主動羽根４５は、非回転でスライド移動したから、閉状態から向きは変化しておらず、左右方向の幅は開状態と閉状態とで変化していない。すなわち、主動羽根４５の羽根本体４５ａの左右方向の幅は、羽根本体４５ａの上方側の左右方向に延びる縁部の長さのままである。主動羽根４５は、羽根本体４５ａの左右方向の幅が、開口５７ｈの左右方向の径よりも短いものの、収納部５７ｄ（把持部１１）の幅よりも長い。しかし、上方側の左右方向に延びる縁部４５ｊが、開口５７ｈの下方側の直線状の縁部に隣接し、直角三角形の斜辺を形成する縁部４５ｉが、センターベース５７の側壁部５７ｂｂの、レンズ側部５７ｃから収納部５７ｄに掛けての傾斜部分に沿うことにより、すなわち、羽根本体４５ａの形状がレンズ側部５７ｃと収納部５７ｄとの間の形状に一致することにより、開口５７ｈから完全に退避している。
【００７６】
従動羽根４７は、回転しつつ平行移動したから、羽根本体４７ａの左右方向の幅が開状態と閉状態とで変化する。閉状態では、紙面右側において上下方向に延びていた縁部４７ｋから、開口５７ｈを斜めに分割するように延びていた縁部４７ｉの下方側の端部までの距離により羽根本体４７ａの左右方向の幅が規定されている。開状態では、縁部４７ｉが、レール５７ｅ（スライド方向）に概ね平行になっており、縁部４７ｉから、縁部４７ｋの下方側の端部により、羽根本体４７ａの閉状態における幅が規定されている。閉状態における幅は三角形の斜辺以外の一辺の長さ、開状態における幅は直角の頂点から斜辺への垂線の長さに相当すること、さらには、羽根本体４７ａは、直角となるべき頂点が面取りされて台形状に形成されていることから、開状態における幅は、閉状態における幅よりも小さい。従って、従動羽根４７の回転は、従動羽根４７の羽根本体４７ａを主動羽根４５の羽根本体４５ａ側へ移動させて羽根本体４５ａに重ねて、羽根本体４５ａ及び４７ａ全体の幅を小さくするだけでなく、従動羽根４７の羽根本体４７ａ自体の幅も小さくする。
【００７７】
また、軸支点（突部４７ｆ）は、延在部４７ｂに設けられることにより、従動羽根４７の羽根本体４７ａから離れた位置に設けられている。その結果、羽根本体４７ａの回転半径が大きくなり、羽根本体４７ａは効率的に主動羽根４５側へ移動する。
【００７８】
図１１に示すように、主動羽根４５は、センターベース５７に対して主動羽根４５とは反対側に配置された歯車列４９によって駆動される。歯車列４９は、長手方向へ移動するラックギア６３を有しており、当該ラックギア６３が主動羽根４５に連結されることにより、主動羽根４５はスライド移動に必要な駆動力が伝達される。ラックギア６３及び主動羽根４５は、具体的には、以下のように連結される。
【００７９】
図１５は、ラックギア６３を示す図であり、図１５（ａ）は、正面側（主動羽根４５側）から見た斜視図、図１５（ｂ）は、背面側（歯車列４９側）から見た斜視図、図１５（ｃ）は、平面図である。
【００８０】
ラックギア６３は、複数の歯６３ｚが直線状に配列されたギア本体６３ａと、ギア本体６３ａの上方側の一端寄りの位置において正面側に突出する突出部６３ｂとを有している。突出部６３ｂは、枝分かれして、ラックギア６３をセンターベース５７に係止するための第１係止部６３ｃと、ラックギア６３を主動羽根４５と連結するための第２係止部６３ｄとを有している。
【００８１】
図１６は、センターベース５７に対するラックギア６３の取り付けを説明する図であり、図１６（ａ）は、センターベース５７及びラックギア６３を背面側（歯車列４９側）から見た分解斜視図であり、図１６（ｂ）は、センターベース５７にラックギア６３を取り付けた状態を示す背面側からの斜視図であり、図１６（ｃ）は、図１６（ｂ）のＸＶＩｃ−ＸＶＩｃ線における断面図である。
【００８２】
センターベース５７には、ラックギア６３のギア本体６３ａを収容して上下方向に案内可能な案内溝５７ｆが形成されている。案内溝５７ｆは、歯車列４９側（図１６（ａ）及び図１６（ｂ）の紙面手前側、図１６（ｃ）の紙面下方側）に突出するリブが形成されることなどにより構成され、図１６（ａ）及び図１６（ｂ）に示すように、開口５７ｈよりも紙面右側（レンズ側部５７ｃが収納部５７ｄに対して突出する側とは反対側）に設けられ、センターベース５７のレンズ側部５７ｃ及び収納部５７ｄに亘って直線状に延びている。案内溝５７ｆの長さは、例えば、ラックギア６３の長さの概ね２倍である。
【００８３】
案内溝５７ｆの底部には、ラックギア６３の突出部６３ｂが挿入されて案内されるスリット５７ｇが形成されている。図１６（ａ）及び図１６（ｂ）に示すように、スリット５７ｇは、案内溝５７ｆの概ね半分の長さで開口５７ｈ寄り配置され、開口５７ｈよりも下方側に亘って延びている。スリット５７ｇは、図１６（ａ）に示すように、大部分の幅は、ラックギア６３のギア本体６３ａの幅（正面側から見た幅）よりも小さく、且つ、突出部６３ｂの、第１係止部６３ｃよりも根元側の幅よりも大きい一定の大きさに設定されており、上端の一部に、幅がギア本体６３ａ及び突出部６３ｂ（第１係止部６３ｃ）の幅よりも大きくなる拡径部が形成されている。
【００８４】
ラックギア６３は、複数の歯６３ｚが開口５７ｈ側（図１６（ａ）〜図１６（ｃ）の紙面左側）になるように、突出部６３ｂをスリット５７ｇの上端の拡径部に挿入しつつ案内溝５７ｆ内に挿入される。図１６（ｃ）に示すように、ラックギア６３の第１係止部６３ｃは、突出部６３ｂの中途からスリット５７ｇの開口方向に交差する方向に突出しており、ラックギア６３を案内溝５７ｆに挿入して下方へスライドさせると、第１係止部６３ｃとギア本体６３ａとにより案内溝５７ｆの底部が挟まれ、ラックギア６３は案内溝５７ｆを摺動可能にセンターベース５７に取り付けられる。また、第２係止部６３ｄは、センターベース５７から正面側（主動羽根４５側）に突出する。
【００８５】
図１７は、センターベース５７及び主動羽根４５等を正面側から見た分解斜視図である。上述のスリット５７ｇは、例えば、主動羽根４５を案内するためのレール５７ｅよりも図１７の紙面左側（センターベース５７のレンズ側部５７ｃが収納部５７ｄよりも突出する側とは反対側）において開口している。そして、スリット５７ｇからは、上述のように、ラックギア６３の突出部６３ｂ（第２係止部６３ｄ）が突出している。第１係止部６３ｃは、レール５７ｅの側面に隣接又は当接している。
【００８６】
主動羽根４５は、図１７の紙面左側の縁部４５ｋから図１７の紙面左側へ突出する係止部４５ｍを有している。係止部４５ｍは、例えば、主動羽根４５の下端側に形成されている。主動羽根４５は、突部４５ｅとレール５７ｅとを嵌合させるようにセンターベース５７に取り付けられる。そして、ラックギア６３の突出部６３ｂに対して以下のように連結される。
【００８７】
図１８は、センターベース５７を省略してラックギア６３と主動羽根４５との連結状態を示す斜視図であり、図１８（ａ）は正面側から見た図、図１８（ｂ）は背面側から見た図である。
【００８８】
図１８（ａ）に示すように、主動羽根４５の係止部４５ｍ及びラックギア６３の第２係止部６３ｄには、弾性部材としてのバネ６５が掛架される。バネ６５は、例えば、つる巻きバネにより構成されている。係止部４５ｍは第２係止部６３ｄよりも下方側に位置しているから、主動羽根４５が下方側へ、ラックギア６３が上方側へ移動する、主動羽根４５とラックギア６３との相対移動は、バネ６５の引張力により弾性的に規制される。
【００８９】
図１８（ｂ）に示すように、主動羽根４５の、レール５７ｅに案内される複数の突部４５ｅのうちの突部４５ｅＢは、ラックギア６３の、センターベース５７に係合する第１係止部６３ｃに対して、下方側から上方側へ当接して係合している。これにより、主動羽根４５が上方側へ、ラックギア６３が下方側へ移動する、主動羽根４５とラックギア６３との相対移動は、バネ６５の引張力により規制される。
【００９０】
図１９は、主動羽根４５及びラックギア６３の動作を説明する模式図である。なお、図１９では、ラックギア６３については、ギア本体６３ａの図示は省略し、第１係止部６３ｃ及び第２係止部６３ｄのみを図示する。
【００９１】
図１９（ａ）に示す開状態では、主動羽根４５は、突部４５ｅＢがラックギア６３の第２係止部６３ｄに係合しており、上方側への移動が規制されている。また、バネ６５の引張力により、上方側へ付勢されており、下方側への移動が規制されている。なお、このときのバネ６５の引張力は適宜に設定されてよく、また、引張力（伸び）が０であってもよい。
【００９２】
図１９（ｂ）に示すように、閉状態とするために、ラックギア６３を上方側へ移動させると、主動羽根４５は、バネ６５を介して引張り上げられ、上方側へ移動する。なお、このときのバネ６５の長さＬは、図１９（ａ）の状態において、バネ６５が、ある程度以上の引張力を発揮するように取り付けられていれば、図１９（ａ）の状態と同一であり、図１９（ａ）の状態において、バネ６５の引張力が小さい若しくは０であれば、図１９（ａ）の状態よりも、主動羽根４５等を駆動するのに必要な力に相当する伸びだけ長くなる。
【００９３】
図１９（ｃ）に示すように、閉状態となる中途において、異物ＦＢが開口９ａの縁部と主動羽根４５とに挟まると、主動羽根４５は停止する。しかし、ラックギア６３は、バネ６５を伸ばしつつ上昇する。バネ６５は、伸びΔＬの増加に伴って、ラックギア６３を停止させる力を徐々に増加させる。これにより、主動羽根４５、ラックギア６３、モータ５１等に加わる衝撃を緩和することができる。
【００９４】
なお、バネ６５のバネ定数やモータ５１の駆動力等は、主動羽根４５が大きな異物ＦＢにより開位置から全く上昇しなくてもラックギア６３が上端まで移動するように設定されていてもよいし、主動羽根４５が停止したらラックギア６３が所定長さだけ上昇して停止するように設定されていてもよい。
【００９５】
閉状態から開状態へ遷移する場合には、ラックギア６３が下方側へ移動し、ラックギア６３の第１係止部６３ｃが主動羽根４５の突部４５ｅＢに上方側から下方側へ係合することにより、主動羽根４５は下方側へ移動する。
【００９６】
図２０は、歯車列４９の構成を説明する図であり、図２０（ａ）は、歯車列４９をセンターベース５７に取り付けられた状態でビデオカメラ１の背面側から示す斜視図であり、図２０（ｂ）は、センターベース５７を省略してビデオカメラ１の正面側から示す斜視図である。
【００９７】
歯車列４９は、例えば、モータ５１の出力軸５１ａに固定されるウォームギア６７と、ウォームギア６７に噛合するホイールギア６９と、ホイールギア６９に噛合する減速ギア７１と、減速ギア７１に噛合するカムギア７３と、カムギア７３に噛合するラック駆動ギア７５とを有している。
【００９８】
ウォームギア６７は、モータ５１の出力軸５１ａ回りに出力軸５１ａと共に回転する。なお、モータ５１は、例えば、センターベース５７の下端において、出力軸５１ａを上方へ向けて固定されており、出力軸５１ａ及びウォームギア６７は、センターベース５７に重なる位置に配置されるとともに、上下方向に延びる回転軸回りに回転可能である。
【００９９】
ホイールギア６９、減速ギア７１、カムギア７３及びラック駆動ギア７５は、例えば、センターベース５７の基部５７ａから背面側へ突出する軸部が挿入されて、ビデオカメラ１の前後方向に延びる回転軸回りに回転可能に設けられている。これらのギアは、センターベース５７の背面側に固定されるリアプレート５９（図１１）により、センターベース５７の軸部からの抜けが防止される。
【０１００】
ホイールギア６９は、例えば、ウォームギア６７に噛合する大径部６９ａと、大径部６９ａよりも歯数が少ない小径部６９ｂ（図２０（ｂ））とを有している。ウォームギア６７と大径部６９ａとの噛合により、モータ５１の出力軸５１ａの、上下方向に延びる回転軸回りの回転は、ホイールギア６９の、前後方向に延びる回転軸回りの回転に変換される。
【０１０１】
減速ギア７１は、ホイールギア６９の小径部６９ｂに噛合する、小径部６９ｂよりも歯数の多い大径部７１ａと、大径部７１ａよりも歯数の少ない小径部７１ｂ（図２０（ａ））とを有している。ホイールギア６９の大径部６９ａよりもホイールギア６９の小径部６９ｂの歯数が少なく、さらには、ホイールギア６９の小径部６９ｂよりも減速ギア７１の大径部７１ａの歯数が多いことから、減速ギア７１は、ホイールギア６９よりも低速で回転する。
【０１０２】
図２１〜図２３は、カムギア７３及びラック駆動ギア７５を拡大して示す図である。図２１〜図２３は、互いに異なる状態を示している。図２１（ａ）、図２２（ａ）、図２３（ａ）は、ビデオカメラ１の正面側から見た斜視図であり、図２１（ｂ）、図２２（ｂ）、図２３（ｂ）は、ビデオカメラ１の背面側から見た斜視図である。また、図２４は、減速ギア７１、カムギア７３及びラック駆動ギア７５を拡大して示す、図２０（ａ）の紙面右側から見た斜視図である。
【０１０３】
カムギア７３及びラック駆動ギア７５は、単純にラックギア６３に動力を伝達するだけでなく、ラックギア６３を精度良く停止させることができるように構成されている。具体的には、以下のとおりである。
【０１０４】
カムギア７３は、複数の幅広歯７３ｚＡ及び幅狭歯７３ｚＢが円周方向に沿って配列されたギア部７３ａと、ギア部７３ａと同軸状に設けられたカム部７３ｂとを有している。
【０１０５】
幅狭歯７３ｚＢは、いわば、カムギア７３の円周に亘って配列された複数の幅広歯７３ｚＡのうち、一部の範囲内の複数の幅広歯７３ｚＡの幅（回転軸方向の長さ）を削って形成されたかのように設けられており、歯幅以外（歯厚、ピッチ、歯たけ等）は、幅広歯７３ｚＡと同一である。また、複数の幅広歯７３ｚＡの幅（回転軸方向の長さ）を削ったかのような部分は、欠歯部７３ｃとなっている。
【０１０６】
なお、ギア部７３ａは、円周に亘って設けられた複数の第１歯７３ｙ（幅広歯７３ｚＡの、幅狭歯７３ｚＢ側の約半分の部分）と、複数の第１歯７３ｙと同軸状に配列された複数の第２歯７３ｘ（幅広歯７３ｚＡの残りの部分）とを有し、複数の第２歯７３ｘが一部の範囲において省略されて、欠歯部７３ｃが設けられるとともに、第１歯７３ｙと第２歯７３ｘとが一体的に形成されていると捉えられることもできる。以下では、ギア部７３ａを説明するときに、説明の便宜に応じて、適宜に、幅広歯７３ｚＡ、幅狭歯７３ｚＢ、第１歯７３ｙ、第２歯７３ｘの語を用いる。
【０１０７】
カムギア７３のギア部７３ａは、図２０（ａ）及び図２４に示すように、減速ギア７１の小径部７１ｂに噛合可能である。なお、減速ギア７１は、ギア部７３ａのうち第１歯７３ｙ及び第２歯７３ｘの双方に噛合しているから、欠歯部７３ｃの有無に関らず、ギア部７３ａに回転を伝達する。ギア部７３ａの歯数（第１歯７３ｙの歯数）は、例えば、減速ギア７１の小径部７１ｂの歯数よりも多い。減速ギア７１の大径部７１ａよりも減速ギア７１の小径部７１ｂは歯数が少なく、さらには、減速ギア７１の小径部７１ｂよりもカムギア７３のギア部７３ａは歯数が多いから、カムギア７３は減速ギア７１よりも低速で回転する。
【０１０８】
ラック駆動ギア７５は、円周に亘って複数の歯が配列されたギア部７５ａと、ギア部７５ａと同軸状に設けられ、カムギア７３のカム部７３ｂに当接可能な摺動部７５ｂとを有している。
【０１０９】
ギア部７５ａは、カムギア７３の第２歯７３ｘに噛合可能である。ただし、カムギア７３の第１歯７３ｙには噛合していない。従って、ラック駆動ギア７５は、カムギア７３が回転方向の所定範囲に位置するときには、ラック駆動ギア７５のギア部７５ａがカムギア７３の第２歯７３ｘに噛合することにより、カムギア７３の回転が伝達されて回転し、それ以外の範囲では、ギア部７５ａがカムギア７３の欠歯部７３ｃに位置することにより、カムギア７３の回転が伝達されない。なお、ギア部７５ａの歯数は、例えば、カムギア７３の歯数（第１歯７３ｙの歯数）と同等又はそれ以下であり、ラック駆動ギア７５は、カムギア７３と同等又はカムギア７３よりも高速で回転する。
【０１１０】
また、ラック駆動ギア７５のギア部７５ａは、ラックギア６３のギア本体６３ａに噛合している。従って、ラック駆動ギア７５が回転することにより、ラックギア６３は上下方向へ直動される。なお、ラック駆動ギア７５のギア部７５ａの歯数は、例えば、ラックギア６３の歯数よりも若干小さく（例えば、ギア部７５ａの歯数が１８個なのに対して、ラックギア６３の歯数が１６個）、ラックギア６３は、ラック駆動ギア７５が１周弱すると、可動範囲の一端から他端へ移動する。
【０１１１】
カムギア７３のカム部７３ｂは、カムギア７３の半径方向に突出するとともに円周方向に延びる突条部により形成されている。カム部７３ｂは、欠歯部７３ｃが設けられている範囲（幅狭歯７３ｚＢの配置範囲）に亘って設けられている。より詳細には、カム部７３ｂは、欠歯部７３ｃの一端に隣接する幅広歯７３ｚＡから他端に隣接する幅広歯７３ｚＡまでの範囲に亘って設けられている。カム部７３ｂは、例えば、全体に亘って、幅狭歯７３ｚＢの歯たけと同等の突出量で歯底から突出している。
【０１１２】
ラック駆動ギア７５の摺動部７５ｂは、ラック駆動ギア７５の半径方向へ突出し、円周方向に沿って配列された複数の爪部７５ｃＡ、７５ｃＢ、７５ｃＣ（以下、Ａ〜Ｃを省略することがある。）を有している。複数の爪部７５ｃは、例えば、互いに同一の形状及び大きさに形成されており、等間隔で配置されている。爪部７５ｃは、カムギア７３のカム部７３ｂの外周面に当接可能であるとともに、カムギア７３の他の部分には当接不可能な突出量で突出している。
【０１１３】
図２１〜図２３を参照して、カムギア７３及びラック駆動ギア７５の作用を説明する。
【０１１４】
図２１は、レンズバリア装置４３が閉状態となっている状態、換言すれば、ラックギア６３が上方側に位置している状態を示している（図２０（ａ）も参照）。この状態において、カムギア７３がラックギア６３を上方へ移動させる方向（図２１（ａ）において矢印ｙ１により、図２１（ｂ）において矢印ｙ２により示す方向）に回転しても、ラック駆動ギア７５のギア部７５ａは、カムギア７３の欠歯部７３ｃに位置しており、ラック駆動ギア７５は回転しない。また、ラック駆動ギア７５の爪部７５ｃＢ及び７５ｃＣがカムギア７３のカム部７３ｂに２点支持（係合）されて摺動することから、ラック駆動ギア７５が慣性力等により回転することも防止されている。従って、ラックギア６３は上方へ移動せず、定位置に保たれる。
【０１１５】
図２２は、図２１の状態から、カムギア７３が、レンズバリア装置４３を開状態とする方向へ、換言すれば、ラックギア６３を下方へ移動させる方向（図２２（ａ）において矢印ｙ３により、図２２（ｂ）において矢印ｙ４により示す方向）に回転した状態を示している。この状態では、カムギア７３の欠歯部７３ｃに隣接する幅広歯７３ｚＡ（第２歯７３ｘ）がラック駆動ギア７５のギア部７５ａに噛合し始め、ラック駆動ギア７５は回転する。この際、ラック駆動ギア７５の爪部７５ｃＢは、カム部７３ｂから離間し、爪部７５ｃＣは、カム部７３ｂの非配置位置に入り込み、爪部７５ｃは、ラック駆動ギア７５の回転を許容する。
【０１１６】
図２３は、図２２の状態から、カムギア７３が更に矢印ｙ３及びｙ４で示す方向へ回転して、レンズバリア装置４３が開状態となった状態、換言すれば、ラックギア６３が下方側に位置している状態を示している。この状態では、ラック駆動ギア７５は、ギア部７５ａがカムギア７３の欠歯部７３ｃに位置し、カムギア７３から動力が伝達されない。また、ラック駆動ギア７５は、爪部７５ｃＡ及び爪部７５ｃＢがカムギア７３のカム部７３ｂに２点支持されて摺動することから、慣性力等により回転することが防止されている。従って、ラックギア６３は下方へ移動せず、定位置に保たれる。
【０１１７】
なお、３つの爪部７５ｃのうち中央の爪部７５ｃＢは、開状態と閉状態との双方において利用される。また、レンズバリア装置４３の開状態から閉状態への遷移も閉状態から開状態への遷移と同様に行われる。すなわち、カムギア７３が矢印ｙ３及びｙ４とは逆方向へ回転することにより、カムギア７３及びラック駆動ギア７５は、図２３の状態から図２２の状態を経由して図２１の状態へ遷移する。
【０１１８】
図２５は、歯車列４９の位置検出方法を説明する斜視図である。レンズバリア装置４３は、歯車列４９の位置、ひいては、ラックギア６３や主動羽根４５の位置を検出するために、例えば、カムギア７３の回転位置を検出するセンサ７７を有している。
【０１１９】
センサ７７は、例えば、ＦＰＣアセンブリ５３（図１１）に設けられたホールセンサにより構成され、カムギア７３の回転軸から所定距離離れた位置において、カムギア７３のセンターベース５７側の面に対向して配置されている。一方、カムギア７３には、回転軸から前記の所定距離離れた位置に回転軸方向に貫通する孔部７３ｈ（図２１（ｂ）も参照）が設けられるとともに、孔部７３ｈ内に磁石７９が設けられている。磁石７９は、カムギア７３の円周方向（接線方向）の一端側がＮ極、他端側がＳ極となるように設けられるとともに、図２１に示す閉状態においては、Ｎ極及びＳ極の一方がセンサ７７に対向し、図２３に示す開状態においては、Ｎ極及びＳ極の他方がセンサ７７に対向するように設けられている。従って、センサ７７により、Ｎ極又はＳ極が検出されることにより、開状態又は閉状態におけるカムギア７３の位置が検出される。なお、磁石７９は、例えば、接着やスナップフィットによりカムギア７３に取り付けられている。
【０１２０】
図２６は、図２（ｂ）のＸＸＶＩ−ＸＸＶＩ線における模式的な断面図である。なお、図２６では、説明の便宜上、厳密にはＸＸＶＩ−ＸＸＶＩ線の断面図には示されない部材も示している。
【０１２１】
上述のように、ビデオカメラ１の本体部３は、レンズ部９と把持部１１とを有している。レンズ部９では、レンズ４１を保持するレンズ鏡筒８５が配置されるから、筐体内に回路基板等を設けるスペースを大きく確保することは困難である。また、本体部３の下方側となる下側部８３は、バッテリ３１やフラッシュ用コンデンサ８７等が配置されるから、筐体内に回路基板等を設けるスペースを大きく確保することは困難である。その結果、本体部３の中央側（把持部１１の上方側）となる中央部８１には、複数の回路基板が密集して配置されることになる。
【０１２２】
具体的には、中央部８１内では、ビデオカメラ１の左右方向に面する複数の回路基板（第１回路基板８９、第２回路基板９１及び第３回路基板９３）が積層的に配置されるとともに、上下方向に面する第４回路基板９５がレンズ部９側に配置されている。第１〜第３回路基板８９．９１、９３は、例えば、上下方向及び前後方向において把持部１１に亘るように広がっている。
【０１２３】
このような回路基板が密集する中央部８１において、回路基板に設けられた複数の電子部品９７を効率的に冷却するために、ビデオカメラ１は、以下のような構成を有している。
【０１２４】
図２７は、本体筐体１３内部、且つ、中央部８１における一部の部材の分解斜視図である。なお、図２７の紙面左側が表示部５側（図２６の紙面右側）である。
【０１２５】
第１回路基板８９及び第２回路基板９１は、例えば、硬質の樹脂をベースとしたリジッドタイプのプリント配線板により構成されており、両面に複数の電子部品９７が実装されている。複数の電子部品９７は、例えば、ＩＣである。複数の電子部品９７は、例えば、ビデオカメラ１の撮影に係る処理を実行する映像信号処理回路１１３（図２９参照）や制御部１１１（図２９参照）を構成しており、ビデオカメラ１の稼動に伴って発熱する。
【０１２６】
第１回路基板８９と第２回路基板９１との間には、ポンプブロック９９が設けられる。ポンプブロック９９は、空気を吸引して送出するポンプ１０１（図２６も参照）と、ポンプ１０１を収容するとともに空気の流路を構成するダクト１０３（図２６も参照）と、ダクト１０３及び第１回路基板８９に挟まれる第１シート１０５と、ダクト１０３及び第２回路基板９１に挟まれる第２シート１０７とを有している。
【０１２７】
ポンプ１０１は、例えば、圧電ポンプにより構成されており、不図示の圧電素子と、その圧電素子を収容するポンプ筐体１０１ａとを有している。圧電素子に電圧が印加されると、圧電素子の振動により、ポンプ筐体１０１ａに空気が吸引されてポンプ筐体１０１ａから排出される。ポンプ筐体１０１ａは、例えば、概ね薄型直方体状に形成されてダクト１０３に収容される部分と、当該部分から第１回路基板８９側へ突出する排気管１０１ｂとを有している。排気管１０１ｂは、ダクト１０３の外部へ突出するとともに、図２６に示すように、第１回路基板８９も貫通し、本体筐体１３の、表示部５が重ねられる面に開口する排気口１３ｈ（図１も参照）を介して本体筐体１３外部に連通している。
【０１２８】
ダクト１０３は、例えば、第１回路基板８９及び第２回路基板９１と同等の広さを有する薄型直方体状に形成されており、第１回路基板８９及び第２回路基板９１に対して積層的に配置される。ダクト１０３には、吸気を行うための吸気口１０３ｈがビデオカメラ１の後方側（図２７の紙面手前側）の側面に形成されている。ダクト１０３は、例えば、熱伝達率の高い材料、例えば、金属により形成されている。なお、ダクト１０３は、第１回路基板８９等のグランドラインに接続されて、ポンプ１０１の生成するノイズを閉じ込めるシールドとして機能してもよい。
【０１２９】
第１シート１０５及び第２シート１０７は、例えば、弾性部材により構成されている。弾性部材は、例えば、シリコンゴムである。そして、第１シート１０５及び第２シート１０７は、ダクト１０３及び電子部品９７に挟まれて、これらに密着（面接触）する。これにより、電子部品９７の熱は効率的にダクト１０３に伝達される。なお、第１シート１０５及び第２シート１０７は、例えば、接着剤等の固定部材により、ダクト１０３又は電子部品９７に取り付けられ、ビデオカメラ１が組み立てられることにより、ダクト１０３及び電子部品９７に挟まれて密着する。
【０１３０】
なお、ダクト１０３の第１回路基板８９及び第２回路基板９１に対向する面には、一の電子部品９７の平面形状、又は、複数の電子部品９７をグループ化した平面形状と概ね同一の平面形状に形成された、頂部が平面状の複数の突部１０３ｂが形成されている。複数の突部１０３ｂは、複数の電子部品９７と複数の突部１０３ｂとの距離が互いに同等になるように設定されている。従って、第１シート１０５及び第２シート１０７は、複数の電子部品９７に亘って共通に設けられることができる。
【０１３１】
図２８は、図２６のＸＸＶＩＩＩ−ＸＸＶＩＩＩ線における模式的な断面図である。なお、図２８の紙面左側がビデオカメラ１の後方（蓋体２９側）である。
【０１３２】
ダクト１０３の内部には、矢印ｙ１１で示されるように、ポンプ１０１が吸引する空気の流路が形成されている。ダクト１０３は、流路内に突出するとともに流路に沿うように配置された複数のフィン１０３ａを有している。なお、複数のフィン１０３ａは、ポンプ１０１の周囲に沿って、配列又は延び、ポンプ１０１の周囲に亘って空気を流す流路の形成にも寄与している。
【０１３３】
ポンプブロック９９は、矢印ｙ１３で示すように、ビデオカメラ１の後方側から本体筐体１３の外部から空気を取り入れる。具体的には、以下のとおりである。
【０１３４】
図２及び図２８に示すように、蓋体２９には、蓋体２９を貫通する吸気口２９ｈが形成されている。吸気口２９ｈは、例えば、把持部１１の表示部５側且つ下方側に配置されており、基本的な使用態様において把持部１１を把持する撮影者の右手により塞がれ難くなっている。吸気口２９ｈは、例えば、上下方向に延びるスリット状に形成されている。
【０１３５】
図３及び図２８に示すように、蓋体２９の内側には、ヒンジ部材３３の板状部が対向しており、当該板状部と蓋体２９との隙間により流路が形成されている。ヒンジ部材３３には、吸気口２９ｈよりも上方側（ポンプブロック９９側）に連通孔３３ｈが形成されており、本体筐体１３の本体筐体主部２７の連通孔３３ｈに対向する位置には連通孔２７ｈが形成されている。連通孔２７ｈは、図２８に示すように、ダクト１０３の吸気口１０３ｈに対向している。
【０１３６】
従って、本体筐体１３外の空気は、吸気口２９ｈ、蓋体２９とヒンジ部材３３との隙間、連通孔３３ｈ、連通孔２７ｈ及び吸気口１０３ｈを介してダクト１０３内に取り入れられる。このようにすることにより、部品点数を増加させることなく、吸気口２９ｈを撮影者により塞がれ難い適宜な位置へ配置できる。
【０１３７】
なお、吸気口２９ｈは、比較的小さく形成されることにより、吸気口２９ｈにおける流速を速くし、本体部３により暖められた本体部３近傍の空気ではなく、より低い温度の外気を吸気できる。これにより、ポンプブロック９９における熱交換率を上げることができる。
【０１３８】
図２９は、ビデオカメラ１の信号処理系の構成を示すブロック図である。
【０１３９】
ビデオカメラ１は、例えば、録画ボタン１９やレリーズボタン２５を含む操作部１０９からの信号に基づいてビデオカメラ１全体の動作の制御を行う制御部１１１と、映像に係る処理を行う映像信号処理回路１１３とを有している。制御部１１１及び映像信号処理回路１１３は、例えば、第１回路基板８９及び第２回路基板９１等の回路基板に実装された電子部品９７（ＩＣ）により構成されている。
【０１４０】
制御部１１１は、例えば、表示部５が開状態とされたときにレンズバリア装置４３を開状態とし、表示部５が閉状態とされたときにレンズバリア装置４３を閉状態とするように、表示部５の開閉を検出するセンサ１１５からの信号に基づいてモータドライバ１１７を介してモータ５１の動作を制御する。なお、制御部１１１は、センサ７７の検出信号に基づいて、開状態及び閉状態におけるカムギア７３の位置を検知してモータ５１の位置制御を行う。
【０１４１】
また、制御部１１１は、例えば、操作部１０９からの信号や温度センサ１１９の検出結果等に基づいて、ドライバ１２１を介してポンプ１０１の動作を制御する。温度センサ１１９は、例えば、本体筐体１３内且つ中央部８１において設けられており、中央部８１に密集して配置された回路基板の電子部品９７の周囲の温度を検出する。
【０１４２】
レンズ４１は、例えば、ＣＣＤ等の受光素子１２３の受光面に光を結像させる。受光素子１２３は、受光した光に応じた電気信号をアンプ１２５を介してカメラ信号処理回路１２７に出力する。カメラ信号処理回路１２７は、受光素子１２３からの電気信号を所定のフォーマットの映像信号に変換して映像信号処理回路１１３に出力する。映像信号処理回路１１３は、操作部１０９からの信号等に基づく制御部１１１からの制御信号に基づいて、カメラ信号処理回路１２７からの映像信号に基づく映像を、モニタドライバ１２９を介して表示部５に表示させたり、インターフェース１３１を介してメモリカード１３５に記録したり、インターフェース１３７を介してテレビやプロジェクター等の他の機器へ出力する。
【０１４３】
図３０は、制御部１１１がポンプ１０１を制御するために実行する処理の手順を示すフローチャートである。この処理は、例えば、ビデオカメラ１の電源がオンにされてからオフにされるまで実行される。
【０１４４】
ステップＳ１では、制御部１１１は、温度センサ１１９の検出した温度が、所定の最大許容温度Ｔｍａｘを超えたか否か判定する。最大許容温度Ｔｍａｘは、例えば、ビデオカメラ１の製造者により予め設定されて制御部１１１が保持している値であり、また、それ以上、温度センサ１１９の周囲における温度が上昇することが好ましくない温度である。制御部１１１は、検出温度が最大許容温度Ｔｍａｘを越えたと判定した場合は、ステップＳ６経由でステップＳ４に進み、ポンプ１０１を作動させ、又は、作動を継続し、検出温度が最大許容温度Ｔｍａｘを越えていないと判定した場合は、ステップＳ２に進む。ステップＳ６については後述する。
【０１４５】
ステップＳ２では、制御部１１１は、温度センサ１１９の検出した温度が、冷却推奨温度Ｔｍｉｎを超えたか否か判定する。冷却推奨温度Ｔｍｉｎは、例えば、ビデオカメラ１の製造者により予め設定されて制御部１１１が保持している値であり、また、ポンプ１０１が駆動されて電子部品９７の冷却が行われることが好ましいが、最大許容温度Ｔｍａｘよりも低い温度である。制御部１１１は、検出温度が冷却推奨温度Ｔｍｉｎを越えていないと判定した場合は、ステップＳ５に進み、ポンプ１０１を停止させ、又は、ポンプ１０１の停止を継続し、検出温度が冷却推奨温度Ｔｍｉｎを越えたと判定した場合は、ステップＳ３に進む。
【０１４６】
ステップＳ３では、制御部１１１は、現在が動画の撮影中か否か判定する。制御部１１１は、操作部１０９からの信号に基づいてビデオカメラ１全体の動作を制御しているから、その制御に係るフラグなどを参照することにより、当該判定はなされる。なお、動画が撮影されている状態は、受光素子１２３に結像がなされ、受光素子１２３からの信号に基づく画像処理が連続的に行われている状態であり、動画をメモリカード１３５等に録画している状態だけでなく、動画を録画せずに表示部５に表示したり、他の機器に出力している状態を含む。なお、ステップＳ３では、動画の録画中か否かが判定されるようにしてもよい。
【０１４７】
制御部１１１は、ステップＳ３において、撮影中でないと判定した場合は、ステップＳ４に進み、ポンプ１０１を作動させ、又は、作動を継続し、撮影中と判定した場合は、ステップＳ５に進み、ポンプ１０１を停止させ、又は、ポンプ１０１の停止を継続する。このように、撮影中においてはポンプ１０１を停止させることにより、ポンプ１０１の作動音が録音されることなどが防止される。
【０１４８】
ただし、上述のように、検出温度が最大許容温度Ｔｍａｘを超えた場合には、撮影中か否かに関らずポンプ１０１は作動される。そこで、ステップＳ６では、制御部１１１は、ポンプ１０１の動作に係る情報を撮影者に報知する。例えば、表示部５にメッセージを表示したり、適宜な位置に配置されたＬＥＤを点灯させたりすることにより、ポンプ１０１が作動中であることを知らせる。表示部５にメッセージを表示するときには、ポンプ１０１が作動中であることだけでなく、電子部品９７を冷却するための一時的なものである等の適宜な説明を表示してもよい。このようなポンプ１０１の動作に係る情報を報知することにより、ポンプ１０１の作動音が録音されてしまうことなどに対する撮影者の理解を得ることができる。
【０１４９】
なお、ステップＳ１〜Ｓ４は、比較的短い周期（例えば、０．１秒）で実行される。また、図３０のフローチャートは、制御部１１１の動作の概略を示したものであり、適宜に修正されてよい。例えば、ステップＳ１の判定を毎回行うとすれば、温度センサ１１９の検出する温度が最大許容温度Ｔｍａｘや冷却推奨温度Ｔｍｉｎ近傍であるときに、ポンプ１０１の作動と停止とが頻繁に繰り返されるおそれがあるから、検出温度が一度最大許容温度Ｔｍａｘ等を越えた後は、一定期間は検出温度に関らずポンプ１０１を作動させるようにしたり、最大許容温度Ｔｍａｘ等を低く再設定して不感帯を設けたりしてもよい。
【０１５０】
以上の実施形態によれば、筐体連結構造の豊富化を図ることができる電子機器を提供できるという、第１の観点の効果が得られる。具体的には、以下のとおりである。
【０１５１】
ビデオカメラ１は、本体筐体１３と、表示筐体１５と、本体筐体１３及び表示筐体１５を、第１回転軸ＲＡ１回りに開状態から閉状態へ折り畳み可能且つ第１回転軸ＲＡ１に直交する第２回転軸ＲＡ２回りに回転可能に連結する連結部７と、を有し、第１回転軸ＲＡ１は、本体筐体１３及び表示筐体１５の外部に位置していることから、従来にない筐体の連結構造が提供される。その結果、例えば、連結筐体１７の、第１回転軸ＲＡ１が貫通する端面を本体筐体１３及び表示筐体１５から露出させたり、さらには、その端面にレリーズボタン２５を設けて使い易さを向上したりすることができる。
【０１５２】
連結部７は、本体筐体１３に対して第１回転軸ＲＡ１回りに回転可能且つ表示筐体１５に対して第２回転軸ＲＡ２回りに回転可能に連結される連結筐体１７を有し、連結筐体１７は、第１回転軸ＲＡ１の軸方向に延びる筒状に形成され、第１回転軸ＲＡ１が貫通する端面が本体筐体１３及び表示筐体１５から露出し、第１回転軸ＲＡ１に直交する断面の形状がＤ字状に形成されて第２回転軸ＲＡ２に直交して表示筐体１５に対向する平面部７ａを有することから、連結筐体１７は、本体筐体１３や表示筐体１５に対する移動方向に沿った形状となり、換言すれば、連結筐体１７は、ビデオカメラ１の開閉及び回転に適した形状となり、ビデオカメラ１全体として小型化を図り、開状態及び回転状態において表示筐体１５を本体筐体１３に近接させることなどができる。
【０１５３】
連結筐体１７の平面部７ａには、閉状態において表示筐体１５に対向して表示筐体１５に被覆され、表示筐体１５が閉状態から開状態へ遷移し且つ第２回転軸ＲＡ２回りに本体筐体１３に対して回転されたときに露出する、レリーズボタン２５に関する情報を示す指標としての文字「ＰＨＯＴＯ」が設けられていることから、レリーズボタン２５が使用される状況においてレリーズボタン２５の操作を誘導する斬新なデザインが実現される。
【０１５４】
表示筐体１５の第２回転軸ＲＡ２の軸方向において連結部７に対向する面には、表示筐体１５よりも硬度が低い保護部材としての保護部材３７が設けられていることから、表示筐体１５を本体筐体１３に近接させることが可能な本実施形態の連結構造において、表示筐体１５が本体筐体１３に当接して傷が付くおそれを低減できる。また、連結筐体１７がＤ字状であることから、保護部材３７は、視認されがたく、また、連結筐体１７と表示筐体１５との隙間を好適に塞いでデザイン性を向上させることができる。
【０１５５】
本体筐体１３は、閉状態において表示筐体１５が配置される凹部（把持部１１の表示部５側の部分）と、当該凹部が形成されることにより構成された突部（レンズ部９の表示部５側の部分）とを有し、保護部材３７は、開状態において表示筐体１５が本体筐体１３に対して第２回転軸ＲＡ２回りに回転したときに第２回転軸ＲＡ２の軸方向において表示筐体１５とレンズ部９との間のスペーサとして機能可能に設けられ、本体筐体１３のレンズ部９における部分よりも硬度が低い材料により形成されていることから、本体筐体１３のレンズ部９における部分に傷が付くことが抑制される。なお、保護部材３７に傷が付いても、保護部材３７は視認されにくいことから、ビデオカメラ１の美観が損なわれるおそれは低い。
【０１５６】
また、以上の実施形態によれば、羽根の収納場所を小さくできる撮像装置及び開閉装置を提供することができるという、第２の観点の効果が得られる。具体的には、以下のとおりである。
【０１５７】
ビデオカメラ１は、レンズ４１と、レンズ４１の前面を覆う被覆位置とレンズ４１の前面から退避した退避位置との間でスライド移動可能な第１の羽根としての主動羽根４５と、主動羽根４５に軸支されており、主動羽根４５のスライド移動に伴って、主動羽根４５と共に被覆位置と退避位置との間で移動するとともに退避位置において被覆位置におけるよりも主動羽根４５に重なるように主動羽根４５に対して回転する第２の羽根としての従動羽根４７とを有することから、各羽根（４５、４７）の大きさと同等の収納場所が不要であるとともに、主動羽根４５が回転するための軸支点を設ける必要も無く、羽根の収納場所を小さくすることができる。
【０１５８】
ビデオカメラ１は、主動羽根４５及び従動羽根４７を広げる方向に付勢する付勢部材としてのバネ６１と、主動羽根４５及び従動羽根４７が被覆位置から退避位置へ移動したときに、従動羽根４７がバネ６１の付勢力に抗して主動羽根４５に重なる方向へ回転するように従動羽根４７に当接する当接部としての側壁部５７ｂｂとを有することから、簡素な構成で従動羽根４７を回転させる駆動力を得ることができる。
【０１５９】
主動羽根４５は、被覆位置と退避位置との間を直線的に且つ非回転でスライド移動することから、構成が簡素であるとともに、主動羽根４５を回転可能とするスペースを設ける必要がない。
【０１６０】
ビデオカメラ１は、レンズ４１並びに主動羽根４５及び従動羽根４７を収容する本体筐体１３を有し、本体筐体１３は、レンズ４１の前面側から見て、レンズ４１を収容する第１構成部としてのレンズ部９（を構成する部分）と、当該部分に隣接する第２構成部としての把持部１１（を構成する部分）とを有し、把持部１１は、レンズ部９よりも、これらの並び方向（上下方向）に直交する方向（左右方向）の幅が狭く形成されるとともに、レンズ４１に対して左右方向の一方側（表示部５とは反対側）へ偏っており、主動羽根４５及び従動羽根４７は、被覆位置において、主動羽根４５が左右方向の表示部５とは反対側に、従動羽根４７が左右方向の表示部５側に位置し、被覆位置から退避位置への移動では、レンズ部９側から把持部１１側へ、左右方向の幅を従動羽根４７の回転により表示部５とは反対側へ狭くしつつ移動することから、主動羽根４５及び従動羽根４７の好適な移動により、レンズ４１の径を大きくしつつも、本体筐体１３（把持部１１）を小さくすることが可能となる。
【０１６１】
ビデオカメラ１は、把持部１１の表示部５側の面に重ねられる閉状態と、把持部１１から離間する開状態との間で遷移可能に本体筐体１３に連結される他の筐体としての表示筐体１５を有し、本体筐体１３及び表示筐体１５は、閉状態において、表示部５とは反対側では、レンズ部９及び把持部１１により上下方向に平行な一平面が形成され、表示部５側では、レンズ部９及び表示筐体１５により上下方向に平行な一平面が形成されるように構成されていることから、主動羽根４５及び従動羽根４７の好適な移動により、収納状態における形状の単純化及び小型化が実現される。
【０１６２】
主動羽根４５は、レンズ４１の前面側から見て、レンズ４１の前面を覆う羽根本体４５ａが、把持部１１側ほど左右方向の幅が表示部５とは反対側へ狭くなるように形成され、退避位置では、幅が広い側の一部がレンズ部９に、幅が狭い側の一部が把持部１１に収容され、従動羽根４７は、レンズ４１の前面側から見て、レンズ４１の前面を覆う羽根本体４７ａが、レンズ部９側ほど左右方向の幅が表示部５側へ狭くなるように形成され、被覆位置から退避位置への移動では、把持部１１側を回転中心として回転することから、把持部１１における、各羽根（４５．４７）それぞれの収納場所も小型化できる。すなわち、主動羽根４５は、幅が広い部分がレンズ部９に収納されるから、把持部１１は、主動羽根４５と同等の幅を有していなくてもよい。また、従動羽根４７は、先端側が回転軸側よりも回転角度に対する移動量が大きく、先端側が移動可能な領域を筐体内に確保することが難しいが、先端側ほど幅が狭いことから、先端側が移動可能な領域が確保されやすく、ひいては、従動羽根４７全体の移動量を大きくすることができる。その結果、従動羽根４７を主動羽根４５へ重ねやすく、把持部１１を細くしやすい。
【０１６３】
ビデオカメラ１は、駆動源としてのモータ５１と、モータ５１の動力により駆動される被駆動部材としてのラックギア６３と、ラックギア６３と主動羽根４５とを連結する弾性部材としてのバネ６５とを有していることから、上述のように、異物が挟まったときなどの衝撃を緩和することができる。
【０１６４】
ビデオカメラ１は、モータ５１と、モータ５１の動力を主動羽根４５に伝達する、互いに噛合可能なカムギア７３及びラック駆動ギア７５と、有し、カムギア７３及びラック駆動ギア７５の一方（本実施形態ではカムギア７３）には、主動羽根４５が被覆位置及び退避位置の少なくとも一方（本実施形態では双方）に位置したときにカムギア７３及びラック駆動ギア７５の噛合が解除されるように欠歯部７３ｃが設けられ、カムギア７３及びラック駆動ギア７５のうちモータ５１側の歯車としてのカムギア７３は、半径方向外側へ突出し、円周方向において欠歯部７３ｃの配置範囲に亘って延びるカム部７３ｂを有し、カムギア７３及びラック駆動ギア７５のうち主動羽根４５側の歯車としてのラック駆動ギア７５は、ラック駆動ギア７５の回転を規制するように、カム部７３ｂの円周方向に沿う面に対して円周方向へ摺動可能に係止される係止部としての爪部７５ｃを有することから、モータの制御誤差や、カムギア７３及びラック駆動ギア７５に至るまでの機械誤差の影響を軽減して精度良く主動羽根４５及び従動羽根４７の位置制御を行うことができる。
【０１６５】
また、以上の実施形態によれば、好適に電子部品の冷却を行うことができる電子機器を提供できるという、第３の観点の効果が得られる。具体的には、以下のとおりである。
【０１６６】
ビデオカメラ１は、本体筐体１３と、本体筐体１３内において、互いに積層的に配置された第１回路基板８９及び第２回路基板９１と、これら回路基板間に配置され、第１回路基板８９に実装された電子部品９７及び第２回路基板９１に実装された電子部品９７に当接し、本体筐体１３外の空気を吸引して本体筐体１３外へ排出するポンプブロック９９とを有することから、本体筐体１３を介した熱の拡散に依存することなく、本体筐体１３内部の回路基板を直接的且つ効率的に冷却することができる。
【０１６７】
すなわち、ポンプブロック９９は、２枚の回路基板間に配置されることにより、両側から回路基板の熱を受けることになり、温度が上昇しやすく、空気への伝熱が容易になる。また、熱せられるポンプブロック９９を本体筐体１３の中央に配置し、本体筐体１３と分離することで、本体筐体１３はポンプブロックからの熱で直接煽られることが無く、低い温度を保つことができる。
【０１６８】
ポンプブロック９９は、ポンプ１０１と、ポンプ１０１を収容するとともにポンプ１０１を収容する空間内に突出するフィン１０３ａを有するダクト１０３と、ダクト１０３及び第１回路基板８９の電子部品９７に挟まれて密着する第１の伝熱部材としての第１シート１０５と、ダクト１０３及び第２回路基板９１の電子部品９７に挟まれて密着する第２の伝熱部材としての第２シート１０７と、を有することから、空気と電子部品９７との間で広範囲且つ効率的に熱交換を行うことができる。
【０１６９】
第１回路基板８９及び第２回路基板９１は、本体筐体１３の所定面（表示部５が重ねられる面）に対して積層的に設けられ、ダクト１０３は、第１回路基板８９及び第２回路基板９１に沿う方向の流路を形成し、ポンプ１０１は、ダクト１０３の流路を介して吸引した空気を排気するための、第１回路基板８９及び第２回路基板９１の積層方向（左右方向）且つ本体筐体１３の所定面側に延びてダクト１０３及び第１回路基板８９を貫通する排気管１０１ｂを有し、本体筐体１３の所定面には、排気管１０１ｂに接続される排気口１３ｈが形成されていることから、吸引される空気と回路基板との熱交換をダクト１０３により効率的に行うとともに、熱せられた空気を第１回路基板８９等に沿って流すことなく排気管１０１ｂにより本体筐体１３外へ直接的に排気することができ、効率的に冷却ができる。特に、筐体の厚さ（本実施形態では左右方向の幅）が、筐体の縦及び横の長さの半分以下のような薄型形状の筐体において好適な冷却を行うことができる。
【０１７０】
ビデオカメラ１は、動画の撮影を行う撮影部としてのレンズ部９と、ポンプブロック９９による吸引及び送出を制御する制御部１１１と、を有し、電子部品９７は、レンズ部９の撮影中に当該撮影に係る処理を実行して発熱し、制御部１１１は、レンズ部９の撮影中においては、ポンプブロック９９の吸引及び送出を非撮影中に比較して制限することから、ポンプブロック９９の作動による音響的なノイズや電気的なノイズが混入されることが抑制される。
【０１７１】
本発明が適用される電子機器や撮像装置は、ビデオカメラに限定されない。例えば、携帯電話機、デジタルカメラ、ノートパソコン、ＰＤＡ、ゲーム機であってもよい。また、本発明は、撮像機能を有しない電子機器に適用されてもよい。本発明が適用される開閉装置（実施形態ではレンズバリア装置４３）は、レンズを保護することを目的とするものに限定されない。例えば、光路を開閉するシャッタ装置や減光フィルタ装置であってもよいし、通気口等の適宜な開口を開閉する装置であってもよい。
【０１７２】
第１の羽根（実施形態では主動羽根４５）は、直線的且つ非回転で移動するものに限定されない。スライド移動可能、すなわち、軸支されておらず、突条や溝部等の案内部に対して摺動することによる移動が可能なものであればよく、曲線状の経路に沿って移動してもよいし、平行移動に伴って回転してもよい。
【０１７３】
開閉装置（実施形態ではレンズバリア装置４３）において、羽根を広げる方向へ付勢する付勢部材（実施形態ではバネ６１）、羽根を重ねる方向へ羽根に当接する当接部（実施形態では側壁部５７ｂｂ）、駆動源（実施形態ではモータ５１）等は本発明の必須要件ではない。例えば、付勢部材が羽根を閉じる方向へ付勢し、当接部が羽根を広げる方向へ当接してもよいし、付勢部材を省略してレールなどにより羽根の回転を制御してもよいし、駆動源を省略して手動で羽根を移動させてもよい。
【０１７４】
ポンプブロックは、ポンプ及びポンプを収容するダクトを含んで構成されるものに限定されない。例えば、ポンプのケーシング自体がダクトを構成してもよい。また、ポンプは、圧電素子を含んで構成されるものに限定されず、例えば、ベーン形のものであってもよいし、いわゆる送風機に分類されるものであってもよい。
【０１７５】
連結部の端面に設けられる操作部材（実施形態ではレリーズボタン２５）は、押しボタンに限定されず、レバー等であってもよいし、また、その機能も静止画を撮像するものに限定されない。操作部材に関する情報を示す指標（実施形態では文字「ＰＨＯＴＯ」）は、機能を説明するものに限定されず、例えば、操作方法や注意を示すものであってもよい。
【０１７６】
冷却用のポンプの撮影中における非撮影中に比較した制限は、ポンプの停止に限定されない。例えば、撮影中においては非撮影中よりもポンプの吸引及び送出量を少なくするようにしてもよいし、撮影中においてはポンプを駆動するか否かの閾値となる温度を非撮影中よりも高く設定するようにしてもよい。
【図面の簡単な説明】
【０１７７】
【図１】本発明の実施形態に係るビデオカメラの外観を示す斜視図。
【図２】図１のビデオカメラの外観を図１とは異なる状態で示す斜視図。
【図３】図１のビデオカメラの外観を図１及び図２とは異なる状態で示す斜視図。
【図４】図１のビデオカメラの開閉及び回転機構を説明する図。
【図５】図１のビデオカメラの開閉及び回転機構を説明する他の図。
【図６】図１のビデオカメラの開閉及び回転動作における筐体間の当接を説明する図。
【図７】図１のビデオカメラの表示部を連結される側から見た斜視図。
【図８】図１のビデオカメラの開閉及び回転動作における筐体間の当接を説明する他の図。
【図９】図１のビデオカメラの表示部が重ねられる面の構成を説明する図。
【図１０】図１のビデオカメラのレンズバリア装置の斜視図。
【図１１】図１０のレンズバリア装置の分解斜視図。
【図１２】図１０のレンズバリア装置の主動羽根及び従動羽根周辺の分解斜視図。
【図１３】図１２の主動羽根及び従動羽根を組み立てて示す斜視図。
【図１４】図１２の主動羽根及び従動羽根の動作を説明する図。
【図１５】図１２の主動羽根を駆動するためのラックギアを示す図。
【図１６】図１５のラックギアのセンターベースへの取り付けを説明する図。
【図１７】図１２の主動羽根のセンターベースへの取り付けを説明する図。
【図１８】図１２の主動羽根と図１５のラックギアとの連結を説明する図。
【図１９】図１２の主動羽根及び図１５のラックギアの動作を説明する図。
【図２０】図１２の主動羽根を駆動する歯車列を説明する図。
【図２１】図２０の歯車列のカムギア及びラック駆動ギアを示す斜視図。
【図２２】図２０の歯車列のカムギア及びラック駆動ギアを図２１とは異なる状態で示す斜視図。
【図２３】図２０の歯車列のカムギア及びラック駆動ギアを図２１及び図２２とは異なる状態で示す斜視図。
【図２４】図２０の歯車列の減速ギア、カムギア及びラック駆動ギアを示す斜視図。
【図２５】図２０の歯車列の位置検出方法を説明する斜視図。
【図２６】図２（ｂ）のＸＸＶＩ−ＸＸＶＩ線における模式的な断面図。
【図２７】図１のビデオカメラの冷却構造を説明する分解斜視図。
【図２８】図２６のＸＸＶＩＩＩ−ＸＸＶＩＩＩ線における模式的な断面図。
【図２９】図１のビデオカメラの信号処理系の構成を示すブロック図。
【図３０】図２９の制御部がポンプを制御するために実行する処理の手順を示すフローチャート。
【符号の説明】
【０１７８】
１…ビデオカメラ（電子機器、撮像装置）、７…連結部、１３…本体筐体（第１筐体）、１５…表示筐体（第２筐体）、１７…連結筐体、４１…レンズ、４３…レンズバリア装置、４５…主動羽根（第１の羽根）、４７…従動羽根（第２の羽根）、８９…第１回路基板、９１…第２回路基板、９９…ポンプブロック、ＲＡ１…第１回転軸（第１軸）、ＲＡ２…第２回転軸（第２軸）。
【手続補正２】
【補正対象書類名】図面
【補正対象項目名】図２６
【補正方法】変更
【補正の内容】
【図２６】
2009162816.tif 000001